(57)【特許請求の範囲】
【請求項１】
パチンコ機の外枠に中枠を回動自在に設け、該中枠にガラス扉を回動自在に設けたパチンコ機の開閉装置において、
第１操作と、第１操作と異なる第２操作とが選択的に操作可能で、前記ガラス扉に設置された施錠手段と、
前記中枠に固設された前記第１操作のための第１係合手段と、
前記外枠に固設された前記第２操作のための第２係合手段と、
前記第１係合手段と係合または離脱するガラス扉錠前爪が設けられて前記第１操作により移動するガラス扉操作杆を案内片側に上下移動可能に保持して、固定片側が前記ガラス扉の裏面に固設された水平断面Ｌ字状のガラス扉支持部材と、
前記第２係合手段と係合または離脱する中枠錠前爪が設けられて前記第２操作により移動する中枠操作杆を案内片側に上下移動可能に保持して、固定片側が前記中枠の裏面に固設された水平断面Ｌ字状の中枠支持部材と、
を有し、
前記ガラス扉を閉じた場合には、前記水平断面Ｌ字状のガラス扉支持部材及び前記ガラス扉操作杆の内側に前記水平断面Ｌ字状の中枠支持部材及び前記中枠操作杆が重なるように配置され、
前記施錠手段で前記第１操作を行ったときに、前記ガラス扉が開き、
前記施錠手段で前記第２操作を行ったときに、前記中枠が開くことを特徴とするパチンコ機開閉装置。
【発明の詳細な説明】
【０００１】
【発明の属する技術分野】
本発明は、パチンコ機の遊技盤の中枠及びガラス扉を選択的に開閉することのできるパチンコ機開閉装置に関するものである。
【０００２】
【従来の技術】
従来、パチンコ機の外枠は、パチンコホールの建屋に固定されたフレームに固設されている。各外枠に対して、中枠が回動自在に保持され開閉できるようになっている。また、中枠に対して、ガラス扉が回動自在に保持され開閉できるようになっている。ここで、ガラス扉及び中枠は、パチンコホールの従業員以外の者が開閉できないように、施錠されている。
【０００３】
従来の開閉及び施錠の方法は、例えば、中枠の内側に開閉ブラケットを摺動可能に保持し、中枠の表側にカムを備えるシリンダー錠を取り付けている。これによれば、シリンダー錠を鍵で回転させることにより、シリンダー錠のカムと当接する開閉ブラケットが移動し、開閉ブラケットが外枠に固設されている係合部から離脱して、中枠を回動して開くことができる。
そして、中枠を開くと、中枠の裏側にガラス扉を開くための施錠ブラケットがあり、その施錠ブラケットを操作することにより、ガラス扉を回動させ開くことができる。
【０００４】
【発明が解決しようとする課題】
しかしながら、従来の開閉及び施錠方法には、次のような問題があった。
すなわち、例えば、玉詰まり等を解除するために、ガラス扉を開こうとするときに、一度必ず中枠を開かなければならず、そのため遊技客が座席から立たなければならない等、遊技客に不快感を与えることがあった。
【０００５】
一方、従来のパチンコ機では、施錠用のシリンダー錠が中枠に配設されていた。このため、ガラス扉の面積を最大限に確保するために、ガラス扉の幅を中枠の幅と同じに設計した場合、その中枠のシリンダー錠を取り付ける部分では、シリンダ錠との干渉を避けるためにガラス扉（ガラス板）の一部を切り欠かなければならない。ガラス扉の一部に切り欠きができると、デザイン上問題があった。また、ガラスの切り欠き部を補強し、安全に保護するための部材が大きくなり、その分だけガラス扉の内部につき遊技客から見えない部分が大きくなり、遊技客の不評をかうという問題があった。
【０００６】
そこで、本発明は、上述した問題点を解決するためになされたものであり、１つの鍵で選択的に操作を行うことにより、中枠またはガラス扉のいずれかを選択的に開くことを可能とし、シリンダ錠との干渉を避けるためにガラス扉（ガラス板）の一部を切り欠く必要がなく、パチンコ機前面におけるガラス扉の面積を最大限に確保することを可能にしたパチンコ機開閉装置を提供することを目的とする。
【０００７】
【課題を解決するための手段】
この目的を達成するために本発明のパチンコ機開閉装置は、次のような構成を有している。
（１）パチンコ機の外枠に中枠を回動自在に設け、該中枠にガラス扉を回動自在に設けたパチンコ機の開閉装置において、（ａ）第１操作と、第１操作と異なる第２操作とが選択的に操作可能で、ガラス扉に設置された施錠手段と、前記中枠に固設された前記第１操作のための第１係合手段と、前記外枠に固設された前記第２操作のための第２係合手段と、前記第１係合手段と係合または離脱するガラス扉錠前爪が設けられて前記第１操作により移動するガラス扉操作杆を案内片側に上下移動可能に保持して、固定片側が前記ガラス扉の裏面に固設された水平断面Ｌ字状のガラス扉支持部材と、前記第２係合手段と係合または離脱する中枠錠前爪が設けられて前記第２操作により移動する中枠操作杆を案内片側に上下移動可能に保持して、固定片側が前記中枠の裏面に固設された水平断面Ｌ字状の中枠支持部材と、を有し、前記ガラス扉を閉じた場合には、前記水平断面Ｌ字状のガラス扉支持部材及び前記ガラス扉操作杆の内側に前記水平断面Ｌ字状の中枠支持部材及び前記中枠操作杆が重なるように配置され、（ｂ）施錠手段で第１操作を行ったときに、ガラス扉が開き、（ｃ）施錠手段で第２操作を行ったときに、中枠が開くことを特徴とする。
【０００８】
上記構成を有するパチンコ機開閉装置の作用を説明する。
例えば施錠手段がシリンダー錠であって、第１操作が鍵を反時計回りに回転させることであり、第２操作が鍵を時計回りに回転させることである場合に、第１操作を行ったときにガラス扉を開き、第２操作を行ったときに中枠を開く。これにより、パチンコホールの従業員は、ガラス扉及び中枠が閉まっている時には、任意かつ選択的に、ガラス扉または中枠を開くことができる。
【０００９】
ここで、施錠手段であるシリンダー錠を中枠または外枠に配設することも考えられるが、外枠にシリンダー錠を配設する場合には、パチンコ機前面に占める外枠の幅が大きくなり、パチンコホールの一列に設置できるパチンコ機の数が減少する問題、または広い建屋を必要とする問題があった。
また、中枠にシリンダー錠を配設する場合には、シリンダー錠を取り付ける部分について、ガラス扉を切り欠かなければならず、ガラス扉の一部に切り欠きができると、デザイン上問題があった。
また、ガラスの切欠き部を補強するためまた安全に保護するための部材が大きくなり、遊技客から見えない部分が大きくなり、遊技客の不評をかう問題があった。
更に、中枠にシリンダー錠を配設する場合には、そのシリンダー錠の分だけ中枠が重量化するという問題があった。
【００１０】
これらの問題点を解決するために、本発明の施錠手段であるシリンダー錠は、ガラス扉に直接取り付けられている。これにより、デザイン上も問題がなくなり、また、切欠き部がないため、余分な補強部材等が不要なため、遊技客から見えない部分を少なくすることができる。更に、シリンダー錠が中枠にない分だけ中枠の軽量化を図ることができる。
【００１１】
【００１２】
また、通常、中枠に固設された第１係合手段と、ガラス扉に保持されたガラス扉操作杆に設けられたガラス扉錠前爪とが係合状態にあり、ガラス扉は、中枠に対して閉じている。また、外枠に固設された第２係合手段と、中枠に保持された中枠操作杆に設けられた中枠錠前爪とが係合状態にあり、中枠は、外枠に対して閉じている。
例えば施錠手段がシリンダー錠であって、第１操作が鍵を反時計回りに回転させることであり、第２操作が鍵を時計回りに回転させることである。
【００１３】
ガラス扉のみを開く場合には、シリンダー錠に鍵を差し込んで、鍵を反時計回りに回転させる第１操作を行う。これにより、シリンダー錠のカムと当接するガラス扉操作杆が移動され、第１係合手段とガラス扉錠前爪の係合が解除され、ガラス扉を開くことができる。
また、中枠のみを開く場合には、シリンダー錠に鍵を差し込んで、鍵を時計回りに回転させる第２操作を行う。これにより、シリンダー錠のカムと当接する中枠操作杆が移動され、第２係合手段と中枠錠前爪の係合が解除され、中枠を開くことができる。
これにより、パチンコホールの従業員は任意かつ選択的に、ガラス扉または中枠を開くことができる。
【００１４】
【００１５】
【００１６】
【発明の実施の形態】
［第１の実施の形態］
以下、本発明に係るパチンコ機用開閉装置を具体化した第１の実施の形態について、遊技盤面を省略した図面に基づいて詳細に説明する。なお、変更するその他の実施の形態の説明では、同じ部材についての説明や符号を省略している。
【００１７】
図１に、外枠２に対して開いた状態の中枠３を示す。図２に、中枠３に対して開いた状態のガラス扉７を示す。
パチンコ機１は、そのパチンコ機１を固定するためのフレームである島設備に固設された外枠２を備えている。外枠２の表から向かって左端には、図１に示すように、中枠３が回動可能に軸支されている。中枠３の裏面には、二点鎖線で示す機構盤３ａが備えられている。また、中枠３の表から向かって左端には、図２に示すように、ガラス扉７が回動可能に軸支されている。
【００１８】
図２に示すように、中枠３の右端には、中枠３の外枠２側となる裏面に中枠支持部材４１が固着されている。また、中枠支持部材４１には、上下方向に摺動自在に中枠操作杆４２が保持されている。中枠支持部材４１と中枠操作杆４２とで、第２開閉手段である中枠開閉装置４が構成されている。
中枠操作杆４２の上下には外枠２側へ突出して、中枠錠前爪４２ａが一体に延設されている。また、中枠３により外枠２の開口部を閉じた時に、中枠錠前爪４２ａが係合する第１係合手段である一対の中枠係止部６ａが、外枠２の内側に固設されている。また、中枠３の表側には、中枠操作杆４２と一体に延設された中枠開放レバー４３が突設されている。
【００１９】
図２は図１に示した中枠３の表側を示す斜視図である。中枠３の表から向かって左端には、ガラス扉７が回動可能に軸支されている。ガラス扉７が閉じられると中枠３の中央に図示を省略した遊技盤面を覆う。中枠３の表から向かって右端には、中枠開放レバー４３がガラス扉７側へ切り欠き窓３ｂから突設されている。切り欠き窓３ｂの上下には、一対のガラス扉係止部６ｂが固設されている。
また、ガラス扉係止部６ｂに係合して係止するガラス扉錠前爪８２ａを備える第１開閉手段であるガラス扉開閉装置８が、ガラス扉７の右端裏面に取り付けられている。
【００２０】
ガラス扉開閉装置８は、ガラス扉７の中枠３側となる裏面に固着されたガラス扉支持部材８１と、ガラス扉支持部材８１に上下方向に摺動自在に設けられたガラス扉操作杆８２とで構成されている。
ガラス扉開閉装置８のほぼ中央には、後述する施錠手段であるシリンダー錠９が鍵穴を表側に突き出して付設されている。なお、図２以下の中枠３の表側を示す斜視図では、ガラス扉７の下方に位置し、中枠３の一端に回動可能に軸支された上皿の図示を省略している。
【００２１】
図３は、中枠３にガラス扉７を近接させた状態から分離した中枠開閉装置４及びガラス扉開閉装置８の斜視状態を示す説明図である。
中枠開閉装置４及びガラス扉開閉装置８の各々の支持部材４１，８１は、各々裏面に固定された固定片４１ａ，８１ａと、固定片４１ａ，８１ａの一端からそれに対しほぼ直角に、断面Ｌ字状に形成された案内片４１ｂ，８１ｂとで構成されている。
そして、固定片４１ａ，８１ａには、中枠操作杆４２及びガラス扉操作杆８２を摺動可能にガイドして保持するための案内突片４１ｃ，８１ｃが形成されている。案内片４１ｂ，８１ｂの内側には、ばね４４，８４が取り付けられており、ばね４４，８４は、中枠操作杆４２及びガラス扉操作杆８２を上方向に付勢している。
【００２２】
ガラス扉開閉装置８のガラス扉支持部材８１に固着されたシリンダー錠９の後端のカム９ｃには、左右両側に２つの連接部９ａ，９ｂが回動可能に突設されている。図３のＢＢ断面図を図４に示す。
一方はガラス扉７を開放するための連接部９ａであって、シリンダー錠９の回動軸に対し直角に延設され、突設された係止孔８２ｂを通してガラス扉錠前操作杆８２に当接するように配置され、シリンダー錠９が反時計回り、すなわち連接部９ａが下向きに回動されるとガラス扉錠前操作杆８２をばね８４に抗して下方向へ摺動させる。
【００２３】
他方は中枠３を開放するための連接部９ｂであって、シリンダー錠９の回動軸に対し平行に中枠側へＬ字状に突設されている。シリンダー錠９が時計回り、すなわち連接部９ｂが下向きに回動されたときに、図２の中枠開放レバー４３の下方に位置するシリンダーカム連接部４２ｂに、連接部９ｂが当接可能に取り付けられている。
中枠開閉装置４のほぼ中央には、中枠開放レバー４３及びシリンダーカム連接部４２ｂを突出させるための長穴４１ｄが、中枠支持部材４１に穿設され、常態より中枠開放レバー４３等は押し下げられるので、長穴４１ｄは下方向に長く設けられている。
【００２４】
次に、このパチンコ機１の中枠３及びガラス扉７の開放手順を説明する。
まず、ガラス扉７を開放するためには、鍵（図示しない）をシリンダー錠９に差し込み操作者側から見て反時計方向ａに回動すると、ガラス扉シリンダー連接部９ａも同じ反時計方向ａに回動し、係止孔８２ｂを通してガラス扉操作杆８２に当接し、ガラス扉操作杆８２を下方向に摺動させる。これにより、先端のガラス扉錠前爪８２ａとガラス扉係止部６ｂとの係合が解除され、ガラス扉７が開放される。
反対に閉める時には、ガラス扉７を中枠３に押しつけると、ばね８４により上方向に付勢されているガラス扉操作杆８２がガラス扉錠前爪８２ａの先端傾斜部により下がりガラス扉係止部６ｂと係合する。
【００２５】
一方、中枠３を開放するためには、シリンダー錠９に差し込んだ鍵を時計方向ｂへ回動させると、中枠開放連接部９ｂも同じ時計方向ｂに回動し、シリンダーカム連接部４２ｂに係合して中枠操作杆４２を下方向に摺動させる。これにより、先端の中枠錠前爪４２ａと中枠係止部６ａとの係合が解除され、中枠３が開放される。
反対に閉める時には、中枠３を外枠２に押しつけると、ばね４４により上方向に付勢されている中枠操作杆４２が中枠錠前爪４２ａの先端傾斜部により下がり中枠係止部６ａと係合する。
また、ガラス扉７が開放された状態ではシリンダー錠９は開放されたガラス扉７の反対側に位置しており、その錠９を回動しても中枠３は開放できないため、切り欠き窓３ｂから突出した中枠開放レバー４３を押し下げることにより、直接中枠操作杆４２を下方向に摺動させることができ、中枠３が開放される。
【００２６】
以上詳細に説明したように、本実施の形態のパチンコ機開閉装置によれば、パチンコ機１の外枠２に中枠３を回動自在に設け、中枠３にガラス扉７を回動自在に設けたパチンコ機１の開閉装置において、（ａ）第１操作（反時計回り）と、第１操作と異なる第２操作（時計回り）とが選択的に操作可能で、ガラス扉７に設置されたシリンダー錠９を有し、（ｂ）シリンダー錠９を反時計回りにまわしたときに、ガラス扉７が開き、（ｃ）シリンダー錠９を時計回りにまわしたときに、中枠３が開くので、パチンコホールの従業員は任意かつ選択的に、ガラス扉または中枠を開くことができる。
【００２７】
特に、シリンダー錠９がガラス扉７に取り付けられているので、ガラス扉との干渉を避けるためにガラス扉（ガラス板）の一部を切り欠く必要がなく、デザイン上も切り欠き部の問題がない。また、ガラス板に切り欠き部がないため、その部分を補強するための余分な補強部材等が不要となり、パチンコ機前面においてガラス扉の面積を最大限に確保することができ、遊技客から見えない部分を少なくすることができる。
【００２８】
［第２の実施の形態］
次に、本発明を具体化した第２の実施の形態について説明する。図５は、図３の中枠開閉装置４を変更した本実施の形態を示す。
【００２９】
図３の中枠開放レバー４３は中枠開閉装置４の中枠操作杆４２と一体に延設されているが、図５のものは、中枠操作杆４２とは別部材とし、中枠支持部材４１とばね４４ａで連結し、中枠操作杆４２と直行する突設部材４２ｃを押し下げることで連動させることもでき、これによりシリンダー錠９で中枠操作杆４２を摺動させても、中枠開放レバー４３は連動して上下動することがない。
【００３０】
また、図１の中枠開閉装置４を変更した実施の態様として、図示しないが、下記のように設けることもできる。すなわち、シリンダーカム連接部を、図３の中枠開放レバー４３のようにシリンダー錠９の回動軸と平行に延設し、それに係合できるように中枠開放連接部をシリンダー錠９の回動軸に直交する形状とすることにより、図１の中枠開放装置４３の機能をシリンダーカム連接部とで兼用し、中枠開閉装置４の部分の加工を省略できる。
【００３１】
【００３２】
【００３３】
【００３４】
【００３５】
【００３６】
【００３７】
【００３８】
【００３９】
【００４０】
【００４１】
【００４２】
【００４３】
【００４４】
【００４５】
【００４６】
【００４７】
なお、本発明は上記各実施の形態に限定されるものでなく、その趣旨を逸脱しない範囲で様々な変更が可能である。
【００４８】
例えば、前記各実施の形態では、第１操作と第２操作とを、シリンダー錠（鍵）の回動方向で選択させているが、第１操作と第２操作との間でシリンダー錠（鍵）の回動方向は同じとして、プッシュボタン等の別なスイッチの操作を併用するか否かで選択させても良い。
【００４９】
【発明の効果】
本発明のパチンコ機開閉装置によれば、パチンコ機の外枠に中枠を回動自在に設け、中枠にガラス扉を回動自在に設けたパチンコ機の開閉装置において、（ａ）第１操作と、第１操作と異なる第２操作とが選択的に操作可能で、ガラス扉に設置された施錠手段と、前記中枠に固設された前記第１操作のための第１係合手段と、前記外枠に固設された前記第２操作のための第２係合手段と、前記第１係合手段と係合または離脱するガラス扉錠前爪が設けられて前記第１操作により移動するガラス扉操作杆を案内片側に上下移動可能に保持して、固定片側が前記ガラス扉の裏面に固設された水平断面Ｌ字状のガラス扉支持部材と、前記第２係合手段と係合または離脱する中枠錠前爪が設けられて前記第２操作により移動する中枠操作杆を案内片側に上下移動可能に保持して、固定片側が前記中枠の裏面に固設された水平断面Ｌ字状の中枠支持部材と、を有し、前記ガラス扉を閉じた場合には、前記水平断面Ｌ字状のガラス扉支持部材及び前記ガラス扉操作杆の内側に前記水平断面Ｌ字状の中枠支持部材及び前記中枠操作杆が重なるように配置され、（ｂ）施錠手段により第１操作を行ったときに、ガラス扉が開き、（ｃ）施錠手段により第２操作を行ったときに、中枠が開くようにしている。このため、パチンコホールの従業員が、任意かつ選択的に、ガラス扉または中枠を開くようにすることができる。併せて、シリンダ錠との干渉を避けるためにガラス扉（ガラス板）の一部を切り欠く必要がなくなり、パチンコ機前面におけるガラス扉の面積を最大限に確保することができる。
【図面の簡単な説明】
【図１】  第１の実施の形態に係り、中枠３が開いた状態での外枠２の状態を示す斜視図である。
【図２】  同じく、ガラス扉７が開いた状態での中枠３の状態を示す斜視図である。
【図３】  同じく、中枠開閉装置４及びガラス扉開閉装置８だけを取り出した場合の斜視図である。
【図４】  同じく、図３のＢＢ断面図である。
【図５】  第２の実施の形態に係り、中枠開閉装置４及びガラス扉開閉装置８だけを取り出した場合の斜視図である。
【符号の説明】
１          パチンコ機
２          外枠
３          中枠
４          中枠開閉装置
７          ガラス扉
８          ガラス扉開閉装置
９          シリンダー錠
９ａ，９ｂ  連接部
４１        中枠支持部材
４２        中枠操作杆
４２ａ      中枠錠前爪
８１        ガラス扉支持部材
８２        ガラス扉操作杆
８２ａ      ガラス扉錠前爪
【図１】
0004106479.tif 000002
【図２】
0004106479.tif 000003
【図３】
0004106479.tif 000004
【図４】
0004106479.tif 000005
【図５】
0004106479.tif 000006